【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
「実在するまたは仮想のデータベース」の全体またはその一部の複製（以下「自複製」）を保持し、該自複製の更新を実行する装置（以下「自装置」）であって、少なくとも
（Ａ）該自複製に対する編集内容（以下「自編集内容」）を作成する手段、
（Ｂ１）該自編集内容を、該自装置の外部の装置（以下「サーバー」）に送信する手段、
（Ｃ１）該自装置とは異なる（単数または複数の）装置（以下「他装置」）が保持する（単数または複数の）「該データベースの全体またはその一部の複製」（以下「他複製」）に対し、該他装置が作成した（単数または複数の）編集内容（以下「他編集内容」）を、該サーバーから受信する手段、
（Ｄ１−１）該自編集内容と該他編集内容を含む編集内容群の個々の編集内容を、該サーバーに到着した順番で用いて、該自複製を更新する手段、
を有する事を特徴とする自装置。
【請求項２】
「実在するまたは仮想のデータベース」の全体またはその一部の複製（以下「自複製」）を保持し、該自複製の更新を実行する装置（以下「自装置」）であって、少なくとも
（Ａ）該自複製に対する編集内容（以下「自編集内容」）を作成する手段、
（Ｂ１）該自編集内容を、該自装置の外部の装置（以下「サーバー」）に送信する手段、
（Ｃ１）該自装置とは異なる（単数または複数の）装置（以下「他装置」）が保持する（単数または複数の）「該データベースの全体またはその一部の複製」（以下「他複製」）に対し、該他装置が作成した（単数または複数の）編集内容（以下「他編集内容」）を、該サーバーから受信する手段、
（Ｄ１−２）該自編集内容と該他編集内容を含む編集内容群の個々の編集内容を、該サーバーにおいて該編集内容に対し設定された順番で用いて、該自複製を更新する手段、
を有する事を特徴とする自装置。
【請求項３】
「実在するまたは仮想のデータベース」の全体またはその一部の複製（以下「自複製」）を保持し、該自複製の更新を実行する装置（以下「自装置」）であって、少なくとも
（Ａ）該自複製に対する編集内容（以下「自編集内容」）を作成する手段、
（Ｂ１）該自編集内容を、該自装置の外部の装置（以下「サーバー」）に送信する手段、
（Ｃ１）該自装置とは異なる（単数または複数の）装置（以下「他装置」）が保持する（単数または複数の）「該データベースの全体またはその一部の複製」（以下「他複製」）に対し、該他装置が作成した（単数または複数の）編集内容（以下「他編集内容」）を、該サーバーから受信する手段、
（Ｄ１−３）該自編集内容と該他編集内容を含む編集内容群の個々の編集内容を、該サーバーから該編集内容を受信した順番で用いて、該自複製を更新する手段、
を有する事を特徴とする自装置。
【請求項４】
「実在するまたは仮想のデータベース」の全体またはその一部の複製（以下「自複製」）を保持し、該自複製の更新を実行する装置（以下「自装置」）であって、少なくとも
（Ａ）該自複製に対する編集内容（以下「自編集内容」）を作成する手段、
（Ｂ１）該自編集内容を、該自装置の外部の装置（以下「サーバー」）に送信する手段、
（Ｃ１）該自装置とは異なる（単数または複数の）装置（以下「他装置」）が保持する（単数または複数の）「該データベースの全体またはその一部の複製」（以下「他複製」）に対し、該他装置が作成した（単数または複数の）編集内容（以下「他編集内容」）を、該サーバーから受信する手段、
（Ｄ１）該自編集内容と該他編集内容を含む編集内容群の個々の編集内容を、該サーバーから通知された順番で用いて、該自複製を更新する手段、
を有する事を特徴とする自装置。
【請求項５】
「実在するまたは仮想のデータベース」の全体またはその一部の複製（以下「自複製」）を保持し、該自複製の更新を実行する装置（以下「自装置」）であって、少なくとも
（Ａ）該自複製に対する編集内容（以下「自編集内容」）を作成する手段、
（Ｂ２）自複製とは異なる該データベースの（単数または複数の）複製（以下「他複製」）を保持する（単数または複数の）装置（以下「他装置」）に対し、該自編集内容を送信する手段、
（Ｃ２）該他複製に対し該他装置が作成した（単数または複数の）編集内容（以下「他編集内容」）を、該他装置から受信する手段、
（Ｄ２−１）該自編集内容と該他編集内容を含む編集内容群の個々の編集内容に指定された「装置（以下「サーバー」）が発行した順序数」に基づき、該編集内容群の個々の該編集内容の順番を決定し、該編集内容群の該編集内容を該順番で用いて該自複製を更新する手段、
を有する事を特徴とする自装置。
【請求項６】
「実在するまたは仮想のデータベース」の全体またはその一部の複製（以下「自複製」）を保持し、該自複製の更新を実行する装置（以下「自装置」）であって、少なくとも
（Ａ）該自複製に対する編集内容（以下「自編集内容」）を作成する手段、
（Ｂ２）自複製とは異なる該データベースの（単数または複数の）複製（以下「他複製」）を保持する（単数または複数の）装置（以下「他装置」）に対し、該自編集内容を送信する手段、
（Ｃ２）該他複製に対し該他装置が作成した（単数または複数の）編集内容（以下「他編集内容」）を、該他装置から受信する手段、
（Ｄ２−２）該自編集内容と該他編集内容を含む編集内容群の個々の編集内容に指定された「装置（以下「サーバー」）が発行した時刻」に基づき、該編集内容群の個々の該編集内容の順番を決定し、該編集内容群の該編集内容を該順番で用いて該自複製を更新する手段、
を有する事を特徴とする自装置。
【請求項７】
「実在するまたは仮想のデータベース」の全体またはその一部の複製（以下「自複製」）を保持し、該自複製の更新を実行する装置（以下「自装置」）であって、少なくとも
（Ａ）該自複製に対する編集内容（以下「自編集内容」）を作成する手段、
（Ｂ２）自複製とは異なる該データベースの（単数または複数の）複製（以下「他複製」）を保持する（単数または複数の）装置（以下「他装置」）に対し、該自編集内容を送信する手段、
（Ｃ２）該他複製に対し該他装置が作成した（単数または複数の）編集内容（以下「他編集内容」）を、該他装置から受信する手段、
（Ｄ２）該自編集内容と該他編集内容を含む編集内容群の個々の編集内容に指定された「装置（以下「サーバー」）が発行した情報」に基づき、該編集内容群の個々の該編集内容の順番を決定し、該編集内容群の該編集内容を該順番で用いて該自複製を更新する手段、
を有する事を特徴とする自装置。
【請求項８】
「実在するまたは仮想のデータベース」の全体またはその一部の複製（以下「自複製」）を保持し、該自複製の更新を実行する装置（以下「自装置」）であって、少なくとも
（Ａ）該自複製に対する編集内容（以下「自編集内容」）を作成する手段、
（Ｂ０）該自編集内容を、該自装置の外部に送信する手段、
（Ｃ０）該自装置とは異なる（単数または複数の）装置（以下「他装置」）が保持する（単数または複数の）「該データベースの全体またはその一部の複製」（以下「他複製」）に対し、該他装置が作成した（単数または複数の）編集内容（以下「他編集内容」）を、該自装置の外部から受信する手段、
（Ｄ０）該自編集内容と該他編集内容を含む編集内容群の個々の編集内容の順番を、装置（以下「サーバー」）から示された情報に基づき決定し、該編集内容群の該編集内容を該順番で用いて該自複製を更新する手段、
を有する事を特徴とする自装置。
【請求項９】
請求項８に記載の装置であって、手段（Ｄ０）において「該編集内容の有効性を判定し、有効と判定された該編集内容を用いて該自複製を更新する」ことを特徴とする自装置。
【請求項１０】
「実在するまたは仮想のデータベース」の全体またはその一部の複製（以下「自複製」）を保持する装置（以下「自装置」）が、該自複製の更新を実行する方法であって、少なくとも
（Ａ）該自複製に対する編集内容（以下「自編集内容」）を作成する処理、
（Ｂ１）該自編集内容を、該自装置の外部の装置（以下「サーバー」）に送信する処理、
（Ｃ１）該自装置とは異なる（単数または複数の）装置（以下「他装置」）が保持する（単数または複数の）「該データベースの全体またはその一部の複製」（以下「他複製」）に対し、該他装置が作成した（単数または複数の）編集内容（以下「他編集内容」）を、該サーバーから受信する処理、
（Ｄ１）該自編集内容と該他編集内容を含む編集内容群の個々の編集内容を、該サーバーから通知された順番で用いて、該自複製を更新する処理、
を有する事を特徴とする方法。
【請求項１１】
「実在するまたは仮想のデータベース」の全体またはその一部の複製（以下「自複製」）を保持する装置（以下「自装置」）が、該自複製の更新を実行する方法であって、少なくとも
（Ａ）該自複製に対する編集内容（以下「自編集内容」）を作成する処理、
（Ｂ２）自複製とは異なる該データベースの（単数または複数の）複製（以下「他複製」）を保持する（単数または複数の）装置（以下「他装置」）に対し、該自編集内容を送信する処理、
（Ｃ２）該他複製に対し該他装置が作成した（単数または複数の）編集内容（以下「他編集内容」）を、該他装置から受信する処理、
（Ｄ２）該自編集内容と該他編集内容を含む編集内容群の個々の編集内容に指定された「装置（以下「サーバー」）が発行した情報」に基づき、該編集内容群の個々の該編集内容の順番を決定し、該編集内容群の該編集内容を該順番で用いて該自複製を更新する処理、
を有する事を特徴とする方法。
【請求項１２】
「実在するまたは仮想のデータベース」の全体またはその一部の複製（以下「自複製」）を保持する装置（以下「自装置」）が、該自複製の更新を実行する方法であって、少なくとも
（Ａ）該自複製に対する編集内容（以下「自編集内容」）を作成する処理、
（Ｂ０）該自編集内容を、該自装置の外部に送信する処理、
（Ｃ０）該自装置とは異なる（単数または複数の）装置（以下「他装置」）が保持する（単数または複数の）「該データベースの全体またはその一部の複製」（以下「他複製」）に対し、該他装置が作成した（単数または複数の）編集内容（以下「他編集内容」）を、該自装置の外部から受信する処理、
（Ｄ０）該自編集内容と該他編集内容を含む編集内容群の個々の編集内容の順番を、装置（以下「サーバー」）から示された情報に基づき決定し、該編集内容群の該編集内容を該順番で用いて該自複製を更新する処理、
を有する事を特徴とする方法。
【請求項１３】
「実在するまたは仮想のデータベース」の全体またはその一部の複製（以下「自複製」）を保持する装置（以下「自装置」）が、該自複製の更新を実行する方法を実現するプログラムであって、少なくとも
（Ａ）該自複製に対する編集内容（以下「自編集内容」）を作成する処理、
（Ｂ１）該自編集内容を、該自装置の外部の装置（以下「サーバー」）に送信する処理、
（Ｃ１）該自装置とは異なる（単数または複数の）装置（以下「他装置」）が保持する（単数または複数の）「該データベースの全体またはその一部の複製」（以下「他複製」）に対し、該他装置が作成した（単数または複数の）編集内容（以下「他編集内容」）を、該サーバーから受信する処理、
（Ｄ１）該自編集内容と該他編集内容を含む編集内容群の個々の編集内容を、該サーバーから通知された順番で用いて、該自複製を更新する処理、
を実現するプログラム。
【請求項１４】
「実在するまたは仮想のデータベース」の全体またはその一部の複製（以下「自複製」）を保持する装置（以下「自装置」）が、該自複製の更新を実行する方法を実現するプログラムであって、少なくとも
（Ａ）該自複製に対する編集内容（以下「自編集内容」）を作成する処理、
（Ｂ２）自複製とは異なる該データベースの（単数または複数の）複製（以下「他複製」）を保持する（単数または複数の）装置（以下「他装置」）に対し、該自編集内容を送信する処理、
（Ｃ２）該他複製に対し該他装置が作成した（単数または複数の）編集内容（以下「他編集内容」）を、該他装置から受信する処理、
（Ｄ２）該自編集内容と該他編集内容を含む編集内容群の個々の編集内容に指定された「装置（以下「サーバー」）が発行した情報」に基づき、該編集内容群の個々の該編集内容の順番を決定し、該編集内容群の該編集内容を該順番で用いて該自複製を更新する処理、
を実現するプログラム。
【請求項１５】
「実在するまたは仮想のデータベース」の全体またはその一部の複製（以下「自複製」）を保持する装置（以下「自装置」）が、該自複製の更新を実行する方法を実現するプログラムであって、少なくとも
（Ａ）該自複製に対する編集内容（以下「自編集内容」）を作成する処理、
（Ｂ０）該自編集内容を、該自装置の外部に送信する処理、
（Ｃ０）該自装置とは異なる（単数または複数の）装置（以下「他装置」）が保持する（単数または複数の）「該データベースの全体またはその一部の複製」（以下「他複製」）に対し、該他装置が作成した（単数または複数の）編集内容（以下「他編集内容」）を、該自装置の外部から受信する処理、
（Ｄ０）該自編集内容と該他編集内容を含む編集内容群の個々の編集内容の順番を、装置（以下「サーバー」）から示された情報に基づき決定し、該編集内容群の該編集内容を該順番で用いて該自複製を更新する処理、
を実現するプログラム。